(57)【要約】【課題】  比較的安価な装置により各遊戯施設の利用状況を正確かつタイムリーに把握するとともに、入場者を稼働率の低い遊戯施設へ誘導することりより稼働率の向上を図ることを可能とするシステムを提供する。【解決手段】  各ＩＣタグ読取センサから通知されるＩＣタグ情報に基づき、遊戯場管理コンピュータ−Ｓ２００が遊戯場管理ＤＢ−Ｓ２１０のデータを参照・更新しながら、遊戯場の利用状況や各遊戯施設の待ち利用者数や入場者の管理と、施設利用ポイントの加算を行って、各施設利用状況表示装置に各遊戯施設の待ち利用者の状況を表示させると共に、ゲート等の通過時に通過した入場者の加算・累積ポイントを表示させる。遊戯場の稼動率向上システムのポイント交換所コンピュータ−Ｓ１００は、ポイント交換所のＩＣタグ読取センサＢ−Ｇ１１０から通知されるＩＣタグ情報により、入場者に加算されたポイントの景品交換や利用カードへのポイント移動等を行う。【選択図】      図２
2006252190.tif 000002
【特許請求の範囲】
【請求項１】
遊技場のチケットに識別情報を記憶したＩＣタグを埋め込むとともに、各遊戯施設の待ちエリアの入口と遊戯施設の入場ゲート及び退場ゲートとを含む所定箇所にＩＣタグ読取センサを設置し、各利用者の所持するチケットのＩＣタグの識別情報に対応付けて、遊戯施設利用ポイントをＩＣタグテーブルに記憶する手段を備える遊戯施設の稼働率向上システムであって、
前記各ＩＣタグ読取センサにより読取ったＩＣタグの識別情報に基づき、各遊戯施設の待ち利用者数をカウントして遊戯施設利用状況テーブルに記憶する手段と、
当該遊戯施設利用状況テーブルに記憶された待ち利用者数を施設利用状況表示装置に表示させる手段と、
前記遊戯施設利用状況テーブルに記憶された待ち利用者数が、各遊戯施設毎に予め設定されたボーナス条件としての待ち利用者数以下の場合に、前記ＩＣタグテーブルの遊戯施設利用ポイントに所定のボーナスポイントを加算する手段と
を備えることを特徴とする遊戯施設の稼働率向上システム。
【請求項２】
遊戯場の退場時に、前記ＩＣタグテーブルに記憶された遊戯施設利用ポイントを、各利用者の所持するポイントカードに加算する手段をさらに備えることを特徴とする請求項１に記載の遊戯施設の稼働率向上システム。
【発明の詳細な説明】
【技術分野】
【０００１】
本発明は、ＩＣタグを利用した遊戯施設の利用状況の管理を行うシステムに関し、特に、稼働率の低い遊戯施設の稼働率の向上を図るための構成に関する。
【背景技術】
【０００２】
従来、各遊戯施設の待ち行列の人数を正確で且つリアルタイムに把握するためには、待ち行列の最後尾の位置から、経験則に基づきおおよその人数を把握する方法等が一般的に行われているが、さらに、特定施設内の人数とその混雑具合を把握するためにＤＧＰＳ３やＰＨＳ等を用いて、特定施設内の携帯端末の台数を把握することとした構成が公知となっている（例えば、特許文献１）。
【特許文献１】特開２００２−２８８３８５号公報
【発明の開示】
【発明が解決しようとする課題】
【０００３】
しかし、前記特許文献１に記載の構成では、特定施設内にいる全ての人々がＤＧＰＳ３やＰＨＳで台数を確認できる携帯端末を持っている必要があり、そのために携帯端末を所持していない入場者に貸与する等、遊戯場サイドでの高額な負担が必要となる。
また、前記特許文献１に記載の構成では、各遊戯施設の混雑状況等は把握できるものの、稼働率の低い遊戯施設について稼働率の向上を図るような構成は設けられていなかった。
【０００４】
本発明は前記課題を解決するためのものであり、比較的安価な装置により各遊戯施設の利用状況を正確かつタイムリーに把握するとともに、入場者を稼働率の低い遊戯施設へ誘導することりより稼働率の向上を図ることを可能とするシステムを提供することを目的とする。
【課題を解決するための手段】
【０００５】
前記課題を解決するため本発明は、遊技場のチケットに識別情報を記憶したＩＣタグを埋め込むとともに、各遊戯施設の待ちエリアの入口と遊戯施設の入場ゲート及び退場ゲートとを含む所定箇所にＩＣタグ読取センサを設置し、各利用者の所持するチケットのＩＣタグの識別情報に対応付けて、遊戯施設利用ポイントをＩＣタグテーブルに記憶する手段を備える遊戯施設の稼働率向上システムであって、前記各ＩＣタグ読取センサにより読取ったＩＣタグの識別情報に基づき、各遊戯施設の待ち利用者数をカウントして遊戯施設利用状況テーブルに記憶する手段と、当該遊戯施設利用状況テーブルに記憶された待ち利用者数を施設利用状況表示装置に表示させる手段と、前記遊戯施設利用状況テーブルに記憶された待ち利用者数が、各遊戯施設毎に予め設定されたボーナス条件としての待ち利用者数以下の場合に、前記ＩＣタグテーブルの遊戯施設利用ポイントに所定のボーナスポイントを加算する手段とを備えることを特徴とする。
また、遊戯場の退場時に、前記ＩＣタグテーブルに記憶された遊戯施設利用ポイントを、各利用者の所持するポイントカードに加算する手段をさらに備えることを特徴とする。
【発明の効果】
【０００６】
以上の構成により本発明では、遊戯場のチケットにＩＣタグを埋め込み、各遊戯施設で待ちエリアの入口と遊戯施設の入場ゲート等にセンサーを置いて待ち行列の人数を正確で且つタイムリーに把握して入場者に各遊戯施設の待ち時間の少ない遊戯施設を知らせると共に、空いている遊戯施設を利用することでボーナスポイントを加算することにより入場者を稼動率の低い遊戯施設へ誘導することにより遊戯場の稼動率の向上を実現することが出来る。
【発明を実施するための最良の形態】
【０００７】
以下、本発明の一実施の形態に係る遊技場の稼働率向上システムについて、図面に基づき説明する。
図１は、本発明の一実施の形態に係る遊技場の稼働率向上システムを示す概念図である。
遊戯場の稼動率向上システムでは、入場門に入場門のＩＣタグ読取センサＡ−Ｇ１００を設置しており、入場者が入場門を通過するとチケットに埋め込まれたＩＣタグを入場門のＩＣタグ読取センサＡ−Ｇ１００が読み取って、ＩＣタグに対応したテーブルを初期化すると共にそのテーブルを有効な状態に設定し、それに加えて遊戯場利用状態のカウントアップなど行う。また、入場門には入場門の施設利用状況表示装置Ａ−Ｇ３００を設置しており、入場者に各遊戯施設の待ち状況等を確認させることを可能とする。
各遊戯施設は遊戯施設と遊戯施設の待ちエリアとから構成され、例えばＸ遊戯施設では、Ｘ遊戯施設の待ちエリア−Ｇ４００の入口にはＩＣタグ読取センサ１−Ｇ２００を、Ｘ遊戯施設の待ちエリア−Ｇ４００の途中退場出口にはＩＣタグ読取センサ２−Ｇ２１０を設置しており、これに加えてＸ遊戯施設の待ちエリア−Ｇ４００には施設利用状況表示装置−Ｇ３１０を設置している。また、Ｘ遊戯施設の入場ゲートにはＩＣタグ読取センサ３−Ｇ２２０と施設利用状況表示装置−Ｇ３２０とを、退場ゲートにはＩＣタグ読取センサ４−Ｇ２３０と施設利用状況表示装置−Ｇ３３０とを設置している。そして、ポイント交換所にはＩＣタグ読取センサＢ−Ｇ１１０と施設利用状況表示装置−Ｇ３４０とを、仮退場門にはＩＣタグ読取センサＣ−Ｇ１２０を、退場門にはＩＣタグ読取センサＤ−Ｇ１３０をそれぞれ設置している。
本実施の形態では、まず、入場者はＸ遊戯施設に入場するに当たり、Ｘ遊戯施設の待ちエリア−Ｇ４００にある施設利用状況表示装置−Ｇ３１０でＸ遊戯施設の待ち状況等を確認して、Ｘ遊戯施設に入場する場合は待ちエリア−Ｇ４００の入口を通過する。この時、Ｘ遊戯施設の待ちエリア−Ｇ４００の入口に設置したＩＣタグ読取センサ１−Ｇ２００がチケットに埋め込まれたＩＣタグを読み取ってＸ遊戯施設の待ち利用者数のカウントアップを行う。なお、入場者が途中でＸ遊戯施設から退場する場合は、Ｘ遊戯施設の待ちエリア−Ｇ４００の途中退場出口から出ることになるが、この時、途中退場出口に設置したＩＣタグ読取センサ２−Ｇ２１０がチケットに埋め込まれたＩＣタグを読み取ってＸ遊戯施設の待ち利用者数のカウントダウンを行う。入場者が入場ゲートにたどり着き、Ｘ遊戯施設の中に入場する場合には入場ゲートを通過する。この時、Ｘ遊戯施設の入場ゲートに設置したＩＣタグ読取センサ３−Ｇ２２０がチケットに埋め込まれたＩＣタグを読み取ってＸ遊戯施設の待ち利用者数のカウントダウンとＸ遊戯施設の入場者数のカウントアップ等を行うと共に、ポイント設定処理を行い、この結果が施設利用状況表示装置−Ｇ３２０に表示される。また、入場者がＸ遊戯施設から退場する場合には退場ゲートを通過する。この時、Ｘ遊戯施設の退場ゲートに設置したＩＣタグ読取センサ４−Ｇ２３０がチケットに埋め込まれたＩＣタグを読み取ってＸ遊戯施設の入場者数のカウントダウン等を行う。なお、Ｘ遊戯施設の退場ゲートに設置されている施設利用状況表示装置−Ｇ３３０により、他の遊戯施設の待ち状況等を確認することが出来る。
【０００８】
このように各遊戯施設で遊んだ後に遊戯場を退場する場合、事前にポイント交換所に行って各遊戯施設で加算されたポイントを精算することができる。ポイント交換所に行くとポイント交換所に設置したＩＣタグ読取センサＢ−Ｇ１１０がチケットに埋め込まれたＩＣタグを読み取ってＩＣタグに対応したポイント数が施設利用状況表示装置−Ｇ３４０に表示される。なお、この時に家族や友人のポイントを合わせて精算することもできる。このようにポイントを集計したら、ポイントを景品に交換したり、利用カードへのポイント移動等を行い、ＩＣタグ毎のポイントはクリアされる。その後、引き続き退場出口に向かうと、仮退場門に設置したＩＣタグ読取センサＣ−Ｇ１２０がチケットに埋め込まれたＩＣタグを読み取り、ポイント精算していない場合は入場者にその旨を伝える。そして、退場門を通過すると、退場門に設置したＩＣタグ読取センサＤ−Ｇ１３０がチケットに埋め込まれたＩＣタグを読み取ってＩＣタグに対応したテーブルを無効な状態に設定すると共に遊戯場利用状態のカウントダウンなどを行う。
【０００９】
図２は、本発明の一実施の形態に係る遊戯場の稼動率向上システムの概略構成図である。
遊戯場の稼動率向上システムは、遊戯場内に張り巡らされたＬＡＮ等のネットワークにポイント交換所のＩＣタグ読取センサＢ−Ｇ１１０、入場門のＩＣタグ読取センサＡ−Ｇ１００、退場門のＩＣタグ読取センサＤ−Ｇ１３０、仮退場門のＩＣタグ読取センサＣ−Ｇ１２０、Ｘ遊戯施設の待ちエリアの入口のＩＣタグ読取センサ１−Ｇ２００、待ちエリアの途中退場出口のＩＣタグ読取センサ２−Ｇ２１０、入場ゲートのＩＣタグ読取センサ３−Ｇ２２０、退場ゲートのＩＣタグ読取センサ４−Ｇ２３０等のセンサ類と、入場門の施設利用状況表示装置−Ｇ３００、Ｘ遊戯施設の待ちエリアの施設利用状況表示装置−Ｇ３１０、Ｘ遊戯施設の入場ゲートの施設利用状況表示装置−Ｇ３２０、遊戯施設の退場ゲートの施設利用状況表示装置−Ｇ３３０、ポイント交換所の施設利用状況表示装置−Ｇ３４０等の表示装置と、遊戯場の稼動率向上システムのポイント交換所コンピュータ−Ｓ１００及び遊戯場の稼動率向上システムの遊戯場管理コンピュータ−Ｓ２００とそれに接続された遊戯場の稼動率向上システムの遊戯場管理ＤＢ−Ｓ２１０から構成される。図１の概念図で説明したように、各センサから通知されるＩＣタグ情報を遊戯場の稼動率向上システムの遊戯場管理コンピュータ−Ｓ２００が遊戯場の稼動率向上システムの遊戯場管理ＤＢ−Ｓ２１０のデータを参照・更新しながら、遊戯場の利用状況や各遊戯施設の待ち利用者数や入場者の管理とポイントの加算を行って各施設利用状況表示装置に各遊戯施設の待ち利用者の状況を表示させると共にゲート等の通過時に通過した入場者の加算・累積ポイントを表示させる。また、遊戯場の稼動率向上システムのポイント交換所コンピュータ−Ｓ１００は、ポイント交換所のＩＣタグ読取センサＢ−Ｇ１１０から通知されるＩＣタグ情報により、入場者に加算されたポイントの景品交換や利用カードへのポイント移動等を行う。
【００１０】
図３は、本発明の一実施の形態の遊技場の稼働率向上システムの管理データベースＳ２１０のテーブル構成の一例を示す図である。
管理データベースＳ２１０は、遊技場利用状況テーブルＴ１００，遊戯施設利用状況テーブルＴ２００，遊戯施設ポイントテーブルＴ３００，ＩＣタグテーブルＴ４００とから構成されている。
遊技場利用状況テーブルＴ１００は、収容人員数Ｔ１１０，入場者数Ｔ１２０，入場抑止フラグＴ１３０の各データ項目を有する。
遊戯施設利用状況テーブルＴ２００は、遊戯施設名Ｔ２１０，収容人員数Ｔ２２０，待ち利用者数Ｔ２３０，入場者数Ｔ２４０，待ち時間計算式Ｔ２５０，入場抑止フラグＴ２６０の各データ項目を有する。
遊戯施設ポイントテーブルＴ３００は、遊戯施設名Ｔ３１０，標準ポイント数Ｔ３２０，ボーナス条件Ｔ３３０，ボーナスポイント計算式Ｔ３４０，ボーナスポイント数Ｔ３５０，ラッキー条件Ｔ３６０，ラッキーポイント数Ｔ３７０の各データ項目を有する。
ＩＣタグテーブルＴ４００は、ＩＣタグ識別子Ｔ４１０，有効フラグＴ４２０，蓄積ポイント数Ｔ４３０の各データ項目を有する。
【００１１】
図４は、本発明の一実施の形態に係る遊戯場の稼動率向上システムの遊戯場入場処理のフローチャート例である。
まず、識別子読取処理として、ＩＣタグから当該ＩＣタグの識別子を読取り（ステップ４０１）、初期設定処理として、当該識別子に対応したＩＣタグテーブルのＩＣタグ識別子の設定やＩＣタグテーブルの蓄積ポイント数のクリアを行って、ＩＣタグテーブルを初期化する（ステップ４０２）。
設定処理として、ＩＣタグテーブルの有効フラグを“有効”に設定する（ステップ４０３）。
カウントアップ処理として、遊技場利用状況テーブルＴ１００の収容人員数Ｔ１１０のカウントアップする（ステップ４０４）。
表示処理として、各施設利用状況表示装置に遊技場の入場者数を表示して（ステップ４０５）、遊戯場の管理者がその時点の入場者数を把握できるようにする。
入場オーバー判定処理として、遊戯場利用状況テーブルＴ１００の入場者数Ｔ１２０と遊戯場利用状況テーブルＴ１００の収容人員数Ｔ１１０を比較する（ステップ４０６）。
比較の結果、入場者数Ｔ１２０が収容人員数Ｔ１１０を超えている場合には、入場抑止フラグＴ１３０のオン設定処理（ステップ４０７）及び入場抑止指示表示処理（ステップ４０８）を行い、各施設利用状況表示装置に入場抑止状態である旨を表示して遊戯場の管理者が収容人員オーバを把握出来るようにして、入場門の入場規制等が行えるようにする。
一方、入場者数Ｔ１２０が収容人員数Ｔ１１０を超えていない場合には、そのまま処理を終了する。
【００１２】
図５は、本発明の一実施の形態に係る遊戯場の稼動率向上システムにおける各施設の待ちエリア入場処理のフローチャート例である。
本処理では、識別子読取処理として、ＩＣタグの識別子を読み取った後（ステップ５０１）、カウントアップ処理として、施設利用状況テーブルｔ２００の待ち利用者数Ｔ２３０をカウントアップする（ステップ５０２）。
【００１３】
図６は、本発明の一実施の形態に係る遊戯場の稼動率向上システムの施設待ちエリア退場処理のフローチャート例である。
まず、識別子読取処理として、ＩＣタグから識別子を読み取った後（ステップ６０１）、カウントダウン処理として、施設利用状況テーブルＴ２００の待ち利用者数Ｔ２３０をカウントダウンする（ステップ６０２）。
【００１４】
図７は、本発明の一実施の形態に係る遊戯場の稼動率向上システムの施設入場処理のフローチャート例である。
まず、識別子読取処理として、ＩＣタグから識別子を読み取った後（ステップ７０１）、カウントダウン処理として、遊戯施設利用状況テーブルＴ２００の待ち利用者数Ｔ２３０のカウントダウンする（ステップ７０２）。
カウントアップ処理として、遊戯施設利用状況テーブルＴ２００の入場者数Ｔ２４０のカウントアップを行うと共に（ステップ７０３）、表示処理として、各施設利用状況表示装置に当該遊戯施設の入場者数Ｔ２４０を表示して遊戯場の管理者がその時点の入場者数を把握出来るようにする（ステップ７０４）。
また、入場オーバー判定処理として、遊戯施設利用状況テーブルＴ２００の入場者数Ｔ２４０と遊戯施設利用状況テーブルＴ２００の収容人員数Ｔ２２０を比較する（ステップ７０５）。
比較の結果、該当遊戯施設の入場者数Ｔ２４０が収容人員数Ｔ２２０を超えている場合には、入場抑止フラグＴ２６０のオン設定処理（ステップ７０６）及び入場抑止指示表示処理（ステップ７０７）を行い、各施設利用状況表示装置に入場抑止状態である旨を表示して遊戯場の管理者が収容人員オーバを把握出来るようにして、該当遊戯施設の入場ゲートの入場規制等が行えるようにする。
また、入場オーバ判定処理（ステップ７０５）の判定結果にかかわらず、ポイント設定処理サブルーチン実行処理（ステップ７０８）により、後述する累積ポイント設定処理を実施する。
【００１５】
図８は、本発明の一実施の形態に係る遊戯場の稼動率向上システムの累積ポイント設定処理のフローチャート例である。
まず、ラッキー条件該当判定処理として、遊戯施設ポイントテーブルのラッキー条件Ｔ３６０に該当しているかを判定し（ステップ８０１）、ラッキー条件に該当している場合には、ラッキーポイント加算処理として、ＩＣタグテーブルの蓄積ポイント数Ｔ４３０に遊戯施設ポイントテーブルのラッキーポイント数Ｔ３７０を加算する（ステップ８０２）。
また、ボーナスポイント加算処理（ステップ８０３）及び標準ポイント加算処理（ステップ８０４）として、ＩＣタグテーブルの蓄積ポイント数Ｔ４３０に遊戯施設ポイントテーブルのボーナスポイント数Ｔ３５０及び標準ポイント数Ｔ３２０を加算して、該当遊戯施設の入場に伴うポイント加算処理を完了する。なお、ボーナスポイント加算処理（ステップ８０３）において加算するボーナスポイント数Ｔ３５０は、後述するボーナスポイント設定処理により設定する。
【００１６】
図９は、本発明の一実施の形態に係る遊戯場の稼動率向上システムのボーナスポイント設定処理のフローチャート例である。
まず、施設利用状況テーブルＴ２００の情報読込処理として、遊戯施設利用状況テーブルＴ２００のデータを読み込む（ステップ９０１）。
そして、ボーナス条件判定処理として、遊戯施設ポイントテーブルＴ３００のボーナス条件Ｔ３３０の条件を満たすか否かを判定する（ステップ９０２）。
判定の結果、ボーナス条件を満たしている場合には、ボーナスポイント計算処理として、遊戯施設ポイントテーブルＴ３００のボーナスポイント計算式Ｔ３４０で現時点のボーナスポイントを計算し（ステップ９０３）、ボーナスポイント設定処理として、遊戯施設ポイントテーブルＴ３００のボーナスポイント数Ｔ３５０へ計算したボーナスポイントを設定する（ステップ９０４）。
【００１７】
図１０は、本発明の一実施の形態に係る遊戯場の稼動率向上システムの施設退場処理のフローチャート例である。
まず、識別子読取処理として、ＩＣタグの識別子を読み取り（ステップ１００１）、カウントダウン処理として、遊戯施設利用状況テーブルＴ２００の入場者数Ｔ２４０のカウントダウンを行うと共に（ステップ１００２）、表示処理として、各施設利用状況表示装置に該当遊戯施設の入場者数を表示して（ステップ１００３）、遊戯場の管理者がその時点の入場者数を把握出来るようにする。
また、入場抑止中判定処理として、遊戯施設利用状況テーブルＴ２００の入場抑止フラグＴ２６０の確認及び遊戯施設利用状況テーブルＴ２００の入場者数Ｔ２４０と遊戯施設利用状況テーブルの収容人員数Ｔ２２０との比較を行い（ステップ１００４）、入場抑止フラグＴ２６０が”オン”で且つ、遊戯施設利用状況テーブルＴ２００の入場者数Ｔ２４０が遊戯施設利用状況テーブルＴ２００の収容人員数Ｔ２２０を下回った場合は、入場抑止フラグＴ２６０のオフ設定処理（ステップ１００５）及び入場抑止解除指示の表示処理（ステップ１００６）を行って、各施設利用状況表示装置にその旨を表示して遊戯場の管理者が収容人員オーバが解除されたことを把握出来るようにし、該当遊戯施設の入場ゲートの入場規制の解除等が行えるようにする。
【００１８】
図１１は、本発明の一実施の形態に係る遊戯場の稼動率向上システムのポイント精算処理(単独)のフローチャート例である。
まず、識別子読取処理として、ＩＣタグの識別子を読み取り（ステップ１１０１）、累積ポイント数読込処理として、ＩＣタグの識別子に対応するＩＣタグテーブルＴ４００の蓄積ポイント数Ｔ４３０を読み込む（ステップ１１０２）。
その後、即時精算判定処理として、即時清算が選択されたか否かを判定し（ステップ１１０３）、即時清算が選択された場合には、景品交換に伴うポイント精算処理を行い（ステップ１１０４）。
即時精算が選択されなかった場合、または、ポイント精算処理によりポイントが残った場合には、累積ポイント移動処理として、利用カードにＩＣタグテーブルＴ４００の蓄積ポイント数Ｔ４３０を加算した後（ステップ１１０５）、累積ポイント０設定処理として、ＩＣタグテーブルの蓄積ポイント数Ｔ４３０に“０”を設定する（ステップ１１０６）。
【００１９】
図１２は、本発明の一実施の形態に係る遊戯場の稼動率向上システムのポイント精算処理(グループ)のフローチャート例である。
まず、初期設定処理として、グループのポイント集計を行うためのワークエリアの初期化を行う（ステップ１２０１）。
その後、識別子読取処理として、ＩＣタグの識別子を読み取り（ステップ１２０２）、累積ポイント数加算処理として、グループのポイント集計を行うためのワークエリアにＩＣタグテーブルＴ４００の蓄積ポイント数Ｔ４３０のポイント数を加算する（ステップ１２０３）。また、累積ポイント数０設定処理として、ＩＣタグテーブルＴ４００の蓄積ポイント数Ｔ４３０に０を設定する（ステップ１２０４）。
そして、追加判定処理として、ポイントを集計する他のチケットの有無を判定して（ステップ１２０５）、他のポイントの加算できるチケットがあれば識別子読取処理から処理を繰り返す（ステップ１２０２〜１２０４）。
その後、即時精算判定処理として、即時精算が選択されたか否かを判定し（ステップ１２０６）、即時精算が選択された場合には、景品交換に伴うワークエリアのポイント精算処理を行う（ステップ１２０７）。
一方、即時清算が選択されなかった場合には、累積ポイント移動処理として、利用カードにワークエリアのポイントを加算する（ステップ１２０８）。
【００２０】
図１３は、本発明の一実施の形態に係る遊戯場の稼動率向上システムの遊戯場退場事前処理のフローチャート例である。
まず、識別子読取処理として、ＩＣタグの識別子を読み取り（ステップ１３０１）、累積ポイント読込処理として、ＩＣタグの識別子に対応するＩＣタグテーブルＴ４００の蓄積ポイント数Ｔ４３０を読み込む（ステップ１３０２）。
そして、累積ポイント判定処理として、ＩＣタグテーブルＴ４００の蓄積ポイント数Ｔ４３０が“０”か否かを判定し（ステップ１３０３）、ＩＣタグテーブルＴ４００の蓄積ポイント数Ｔ４３０が“０”以外であれば、ポイント未精算表示処理として、入場者に対し、ポイントが未精算である旨のメッセージを表示する（ステップ１３０４）。
【００２１】
図１４は、本発明の一実施の形態に係る遊戯場の稼動率向上システムの遊戯場退場処理のフローチャート例である。
まず、識別子読取処理として、ＩＣタグの識別子を読み取り（ステップ１４０１）、累積ポイント数クリア処理として、ＩＣタグテーブルＴ４００の蓄積ポイント数Ｔ４３０を０クリアする（ステップ１４０２）。
また、有効フラグ設定処理として、ＩＣタグテーブルＴ４００の有効フラグＴ４２０に”無効”を設定し（ステップ１４０３）、カウントダウン処理として、遊戯場利用状況テーブルの収容人員数Ｔ１１０をカウントダウンすると共に（ステップ１４０４）、表示処理として、各施設利用状況表示装置に遊戯場の入場者数を表示して（ステップ１４０５）、遊戯場の管理者がその時点の入場者数を把握出来るようにする。
また、入場抑止中判定処理として、遊戯場利用状況テーブルＴ１００の入場抑止フラグＴ１３０の確認及び遊戯場利用状況テーブルＴ１００の入場者数Ｔ１２０と収容人員数Ｔ１１０との比較を行い（ステップ１４０６）、入場抑止フラグＴ１３０が”オン”で且つ遊戯場利用状況テーブルＴ１００の入場者数Ｔ１２０が収容人員数Ｔ１１０を下回っている場合には、入場抑止フラグＴ１３０の“オフ”設定処理（ステップ１３４０７）及び入場抑止解除指示の表示処理（ステップ１４０８）を行い、各施設利用状況表示装置に入場抑止状態が解除された旨を表示して、遊戯場の管理者が収容人員オーバが解除されたことを把握出来るようにして入場門の入場規制解除等が行えるようにする。
【００２２】
図１５は、本発明の一実施の形態に係る遊戯場の稼動率向上システムの遊戯場利用状況表示処理のフローチャート例である。
まず、施設利用状況テーブルＴ２００の情報読込処理として、遊戯施設利用状況テーブルＴ２００の待ち利用者数Ｔ２３０及び待ち時間計算式Ｔ２５０を読み込み（ステップ１５０１）、施設利用待ち時間の計算処理として、待ち利用者数Ｔ２３０及び待ち時間計算式Ｔ２５０から遊戯施設の利用待ち時間を計算し（ステップ１５０２）、表示処理として、各施設利用状況表示装置に各遊戯施設の待ち利用者数及び待ち時間を表示する（ステップ１５０３）。
その後、一定時間待ち処理として、システムで設定された一定時間の待ち処理を行い（ステップ１５０４）、一定時間が経過した後に、終了指示判定処理として、システムの終了指示が投入されているかを判定し（ステップ１５０５）、終了指示が投入されていなければ施設利用状況テーブルの情報読込処理（ステップ１５０１）から処理を繰り返し、終了指示が投入されていれば遊戯場利用状況表示処理を終了する。
【図面の簡単な説明】
【００２３】
【図１】本発明の一実施の形態に係る稼働率向上システムを備えた遊戯場を示す概念図である。
【図２】本発明の一実施の形態に係る稼働率向上システムの概略構成を示すブロック図である。
【図３】本発明の一実施の形態に係る稼働率向上システムの管理データベースのテーブル構成の一例を示す図である。
【図４】本発明の一実施の形態に係る稼働率向上システムの行う遊戯場入場処理の一例を示すフローチャートである。
【図５】本発明の一実施の形態に係る稼働率向上システムの行う施設待ちエリア入場処理の一例を示すフローチャートである。
【図６】本発明の一実施の形態に係る稼働率向上システムの行う施設待ちエリア退場処理の一例を示すフローチャートである。
【図７】本発明の一実施の形態に係る稼働率向上システムの行う施設入場処理の一例を示すフローチャートである。
【図８】本発明の一実施の形態に係る稼働率向上システムの行う累積ポイント設定処理の一例を示すフローチャートである。
【図９】本発明の一実施の形態に係る稼働率向上システムの行うボーナスポイント設定処理の一例を示すフローチャートである。
【図１０】本発明の一実施の形態に係る稼働率向上システムの行う施設退場処理の一例を示すフローチャートである。
【図１１】本発明の一実施の形態に係る稼働率向上システムの行うポイント精算処理(単独)の一例を示すフローチャートである。
【図１２】本発明の一実施の形態に係る稼働率向上システムの行うポイント精算処理(グループ)の一例を示すフローチャートである。
【図１３】本発明の一実施の形態に係る稼働率向上システムの行う遊戯場退場事前処理の一例を示すフローチャートである。
【図１４】本発明の一実施の形態に係る稼働率向上システムの行う遊戯場退場処理の一例を示すフローチャートである。
【図１５】本発明の一実施の形態に係る稼働率向上システムの行う遊戯場利用状況表示処理の一例を示すフローチャートである。
【符号の説明】
【００２４】
Ｇ１００  ＩＣタグ読取センサＡ、Ｇ１１０  ＩＣタグ読取センサＢ、Ｇ１２０  ＩＣタグ読取センサＣ、Ｇ１３０  ＩＣタグ読取センサＤ、Ｇ２００  ＩＣタグ読取センサ１、Ｇ２１０  ＩＣタグ読取センサ２、Ｇ２２０  ＩＣタグ読取センサ３、Ｇ２３０  ＩＣタグ読取センサ４、Ｇ３００，Ｇ３１０，Ｇ３２０，Ｇ３３０，Ｇ３４０  施設利用状況表Ｇ４００  待ちエリア、Ｓ１００  ポイント交換所コンピュータ、Ｓ２００  遊戯場管理コンピュータ、Ｓ２１０  遊戯場管理データベース、Ｔ１００  遊戯場利用状況テーブル、Ｔ１１０  収容人員数、Ｔ１２０  入場者数、Ｔ１３０  入場抑止フラグ、Ｔ２００  遊戯施設利用状況テーブル、Ｔ２１０  遊戯施設名、Ｔ２２０  収容人員数、Ｔ２３０  待ち利用者数、Ｔ２４０  入場者数、Ｔ２５０  待ち時間計算式、Ｔ２６０  入場抑止フラグ、Ｔ３００  遊戯施設ポイントテーブル、Ｔ３１０  遊戯施設名、Ｔ３２０  標準ポイント数、Ｔ３３０  ボーナス条件、Ｔ３４０  ボーナスポイント計算式、Ｔ３５０  ボーナスポイント数、Ｔ３６０  ラッキー条件、Ｔ３７０  ラッキーポイント数、Ｔ４００  ＩＣタグテーブル、Ｔ４１０  ＩＣタグ識別子、Ｔ４２０  有効フラグ、Ｔ４３０  蓄積ポイント数。
【図１】
2006252190.tif 000003
【図２】
2006252190.tif 000004
【図３】
2006252190.tif 000005
【図４】
2006252190.tif 000006
【図５】
2006252190.tif 000007
【図６】
2006252190.tif 000008
【図７】
2006252190.tif 000009
【図８】
2006252190.tif 000010
【図９】
2006252190.tif 000011
【図１０】
2006252190.tif 000012
【図１１】
2006252190.tif 000013
【図１２】
2006252190.tif 000014
【図１３】
2006252190.tif 000015
【図１４】
2006252190.tif 000016
【図１５】
2006252190.tif 000017